(57)【要約】      （修正有）【課題】シーバーン防護服に付着した有害物質を洗い落とす際に使用される折り畳み式の除染水回収水槽を提供する。【解決手段】シーバーン防護服Ｓに付着した有害物質を洗い落とす際に使用される折り畳み式の除染水回収水槽１０であって、所用面積を有する底部２０と、その上方を囲繞するように該底部２０の外周縁から上方に延伸する所用高さを有する外周壁２１とで構成されて成り、底部２０及び外周壁２１は、共に柔軟性ならびに防水性を有する合成樹脂製のシート部材で形成されると共に、外周壁２１の上端縁にはフロート体２２が配設されて成り、折り畳み式除染水回収水槽１０内に貯留される除染水の水位Ｌの変動に伴ってフロート体２２の浮力作用により外周壁２１の高さが上下に伸縮可能な手段を採る。【選択図】図２
0003215363.tif 000002
【実用新案登録請求の範囲】
【請求項１】
シーバーン防護服に付着した有害物質を洗い落とす際に使用される折り畳み式の除染水回収水槽であって、
前記除染水回収水槽は、所用面積を有する底部と、その上方を囲繞するように該底部の外周縁から上方に延伸する所用高さを有する外周壁とで構成されて成り、
前記底部及び外周壁は、共に柔軟性ならびに防水性を有する合成樹脂製のシート部材で形成されると共に、該外周壁の上端縁にはフロート体が配設されて成り、
前記除染水回収水槽内に貯留される除染水の水位の変動に伴って前記フロート体の浮力作用により前記外周壁の高さが上下に伸縮可能であることを特徴とする除染水回収水槽。
【請求項２】
前記フロート体が、エア充填体または発泡樹脂部材で形成されて成ることを特徴とする請求項１に記載の除染水回収水槽。
【請求項３】
前記除染水回収水槽の底部の略センター位置に、立ち位置マークが付されて成ることを特徴とする請求項１または請求項２に記載の除染水回収水槽。
【請求項４】
前記除染水回収水槽の底部若しくは外周壁の所定箇所に、除染水を回収するための排水口が備えられて成ることを特徴とする請求項１から請求項３のいずれか記載の除染水回収水槽。
【考案の詳細な説明】
【技術分野】
【０００１】
本考案は、除染水を回収するための水槽に関し、詳しくは、シーバーン防護服に付着した有害物質をシャワー洗浄装置で洗い落とす際に使用される折り畳み式の除染水回収水槽に関するものである。
【背景技術】
【０００２】
原子力発電所における放射能漏れをはじめとするシーバーン災害発生時において、それに対処する作業者は、作業中に自らが汚染してしまうことのないよう、シーバーン防護服を着用して作業に当たっている。その際、事故処理作業を速やかに行う必要があると同時に、作業者のシーバーン防護服に付着した汚染物質を作業後速やかに除染する必要があった。
【０００３】
ところで、シーバーン防護服に付着した汚染物質を除染するには、シャワーなどの洗浄装置で洗い落とすことが広く一般に行われており、屋外にて放水によりシーバーン防護服に付着した汚染物質を洗い流すことが行われている現状がある。かかる屋外放水による手法は、確かにシーバーン防護服に付着した汚染物質を除染することはできるが、汚染物質を含んだ水が自然環境に垂れ流されることとなるため、環境汚染の問題があった。
【０００４】
かかる環境汚染の問題を解消すべく、災害現場に除染施設を設置することが考えられる。しかしながら、従来の除染施設は、大掛かりな設備工事を伴う除染水処理装置を設置するものであって、緊急性を要するシーバーン災害現場において、そのような大掛かりな施設を設置するには時間的余裕がないのが現状である。したがって、災害現場において、環境に配慮しつつ、シーバーン防護服に付着した有害物質を洗い落とすための設備の必要性が求められてきた。
【０００５】
従来から提案されている汚染物質を除染するための除染システムの提案としては、例えば、放射性物質をシャワー装置で除染するときに、排水の処理、または、リサイクルする「放射性物質の除染システム」（特許文献１）が提案されている。具体的には、防護服に付着した放射性物質を洗い落とす除染シャワー装置と、該除染シャワー装置からの放射性排水を蓄えるとともに希釈用水が導入可能な希釈槽と、該希釈槽の放射線量を測定する放射線測定器と、を備え、前記希釈槽内の放射線量が所定レベル以下で排水される設備の提案である。
【０００６】
しかしながら、かかる「放射性物質の除染システム」提案は、大掛かりな設備の設置を必要とするものであり、膨大な設備費用と設置面積を必要とする上、汚染現場での速やかな対応が不可能なものであった。
【０００７】
また、側壁部を略直立できるようにして、側壁部を押える部材を用いなくても使用できるようにして、汎用性の向上を図る「折り畳み式浴槽」（特許文献２）が提案されている。具体的には、空気室に空気が入れられた立体状態と空気が抜かれた展開状態とをとり得るもので、底壁部エリア及び側壁部エリアを区画するエリア区画溶着線と、側壁部エリアの外周縁に沿う外周溶着線とを設け、エリア区画溶着線に略平行な仮想中間線を設定し、一端側エリア及び他端側エリアにおいて、底壁部エリア側から略放射状に延び仮想中間線に始端を有し外周溶着線に終端を有した複数の縦溶着線を設け、互いに隣接する縦溶着線で区画される複数の柱状の柱状エリアを列設し、一対の柱状エリア間であってこれらを形成する縦溶着線と縦溶着線との間に空気の入らない膜状の膜状エリアを形成した折り畳み式の浴槽の提案である。
【０００８】
しかしながら、かかる「折り畳み式浴槽」提案は、仮にシーバーン防護服を着用した作業者が浴槽内に入るには略直立の側壁部を乗り越えて入らなければならないことから、容易に乗り越えることができず、しかも浴槽外に出る際に転倒する危険性があった。
【０００９】
さらに、浴槽底部を撓ませることなく高めることができ、良好な介護姿勢で介護作業ができるとともに、折り畳みができ運搬性や組立性、安定性に優れる「エア式浴槽」（特許文献３）が提案されている。具体的には、複数段の枠状チューブで構成された浴槽部と、この浴槽部を支えチューブ径が前記浴槽部の枠状チューブのチューブ径より大きい少なくとも1段の枠状チューブで構成され当該枠状チューブの外面を前記浴槽部の枠状チューブの外面とほぼ面一に構成してなる架台部と、この架台部と前記浴槽部との間に設けられ少なくとも水が入る部分を支持する底部板とを備えることを特徴とするエア式浴槽の提案である。
【００１０】
しかしながら、かかる「エア式浴槽」提案は、浴槽底部を撓ませることなく高める手段として枠状チューブにエアを注入しなければならないことから、設置する際には大量のエアの注入作業が必要であると共に、シーバーン防護服を着用した作業者が浴槽内に入るには側壁部を乗り越える必要があることから、容易に乗り越えることができず、しかも浴槽外に出る際には転倒する危険性があった。
【００１１】
またさらに、水槽の外枠（外周壁）に、鉄パイプ等からなる支柱、梁部材、枠骨等の規制手段を設けることなく水槽の形状を安定に維持し、組立設置作業及び撤去作業が容易な「折畳式水槽」（特許文献４）が提案されている。具体的には、弾性変形可能な外周壁と底部とを備えた折り畳み可能な水槽本体と、前記水槽本体の内側に設けられ、前記外周壁と前記底部とを接続する支持部材と、を備え、前記外周壁は、複数枚の壁板で構成され、前記複数枚の壁板が起立可能な状態で周方向に隣接して設けられ、前記支持部材は、その一端部が前記外周壁の壁板同を折り曲げ可能に接続する接続折れ部に取り付けられ、その他端部が前記底部に取り付けられる折畳式水槽の提案である。
【００１２】
しかしながら、かかる「折畳式水槽」提案は、設置作業をする際に外周壁を弾性変形させて予め外周壁を内側へ傾倒させておき、貯水時に、水圧で外周壁が外側へ傾倒させることで、見かけ上、外周壁が垂直に起立した水槽とする手段を採用していることから、折り畳まれることによって収納ならびに運搬作業は容易なものとなるが、シーバーン防護服を着用した作業者が浴槽内に入るには側壁部を乗り越えて入らなければならないことから、容易に乗り越えることができず、しかも浴槽外に出る際には転倒する危険性があった。
【００１３】
本出願人は、シーバーン災害発生時における先発隊（災害発生地点に最も早く到達し、状況の分析や被害者の救出などにあたるレスキュー隊）が、除染処理現地施設が設営されるまでの間、隊員や緊急を要する救助者に対し緊急除染を行う際に、簡易的に設置された除染水回収水槽内で除染することを目的とし、その除染水を除染水回収水槽内に一時的に貯留することによりシーバーンによって汚染された除染水の排水溝や河川といった自然環境への流出を防ぐと共に、周辺住民や家畜などへの二次災害を防ぐことができないものかという着想の下、シーバーン防護服に付着した有害物質を洗い落とす際に使用される折り畳み式の除染水回収水槽を開発し、本考案にかかる「除染水回収水槽」の提案に至るものである。
【先行技術文献】
【特許文献】
【００１４】
【特許文献１】特開２００１−３０５２８４号公報
【特許文献２】特開２０１４−２１７５３６号公報
【特許文献３】特開２００７−１９５８６２号公報
【特許文献４】特開２０１５−７８００４号公報
【考案の概要】
【考案が解決しようとする課題】
【００１５】
本考案は、上記事情に鑑みてなされたものであり、シーバーン防護服に付着した有害物質を洗い落とす際に使用される折り畳み式の除染水回収水槽を提供することを課題とするものである。
【課題を解決するための手段】
【００１６】
上記課題を解決するため、本考案は、シーバーン防護服に付着した有害物質を洗い落とす際に使用される折り畳み式の除染水回収水槽であって、該除染水回収水槽は、所用面積を有する底部と、その上方を囲繞するように該底部の外周縁から上方に延伸する所用高さを有する外周壁とで構成されて成り、該底部及び外周壁は、共に柔軟性ならびに防水性を有する合成樹脂製のシート部材で形成されると共に、該外周壁の上端縁にはフロート体が配設されて成り、該除染水回収水槽内に貯留される除染水の水位の変動に伴ってフロート体の浮力作用により外周壁の高さが上下に伸縮可能である手段を採る。
【００１７】
また、本考案は、前記フロート体が、エア充填体または発泡樹脂部材で形成されて成る手段を採る。
【００１８】
さらに、本考案は、前記除染水回収水槽の底部の略センター位置に、立ち位置マークが付されて成る手段を採る。
【００１９】
またさらに、本考案は、前記除染水回収水槽の底部若しくは外周壁の所定箇所に、除染水を回収するための排水口が備えられて成る手段を採る。
【考案の効果】
【００２０】
本考案にかかる除染水回収水槽によれば、柔軟性ならびに防水性を備える素材（例えば熱圧着縫製のターポリン生地）で成形されることによって、除染水の漏洩を防止すると共に、軽量で折り畳み式であることから作業員が単独で搬送ならびに設営を可能とし、さらに従来の組み立て式水槽のような骨組みを必要としないことから、水槽自体を単に広げるだけで短時間で設営が完了するため、緊急時の除染対策施設の早期設営ならびに撤去作業の迅速化が図られると共に、設営箇所の移動も容易である、といった優れた効果を奏する。
【００２１】
また、本考案にかかる除染水回収水槽によれば、外周壁の高さを必要以上に高く設定することなく低く（例えば略２０ｃｍ程度）設定することによって、視界が十分確保されないシーバーン防護服を着用した状態でも、水槽内に容易に乗り込むことができると共に、水槽外に出る際にも転倒の危険性がない、といった優れた効果を奏する。
【００２２】
さらに、本考案にかかる除染水回収水槽によれば、水槽自体が柔軟性を有する合成樹脂製のシート部材で形成されていることによって、大容量の収納スペースを必要とすることなく折り畳んでコンパクトに収納することができるため、運搬性に優れると共に、格納倉庫など限られたスペースであっても、大規模な非常災害時に合わせて大量にストックしておくことができる、といった優れた効果を奏する。
【００２３】
またさらに、本考案にかかる除染水回収水槽によれば、フロート体を備えることで、除染水の水位によって外周壁が伸縮して高さが上下変動するため、容量オーバーで除染水が溢れ出すことがなく、しかも必要以上に外周壁の高さが高くなることもない、といった優れた効果を奏する。
【００２４】
さらにまた、本考案にかかる除染水回収水槽によれば、底部のセンター位置に立ち位置マークが付されていることによって、シーバーン防護服を着用した作業者が水槽のセンター位置を視認することができると共に、水跳ねによる水槽外への汚染水の飛散を最小限に留めることができる、といった優れた効果を奏する。
【００２５】
そしてまた、本考案にかかる除染水回収水槽によれば、底部若しくは外周壁の所定箇所に除染水を回収するための排水口が備えられていることによって、除染水の排水手段も容易である、といった優れた効果を奏する。
【図面の簡単な説明】
【００２６】
【図１】本考案にかかる除染水回収水槽の実施形態を示す説明図である。
【図２】本考案にかかる除染水回収水槽の使用手順を示す説明図である。
【図３】本考案にかかる除染水回収水槽におけるフロート体の実施形態を示す説明図である。
【図４】本考案にかかる除染水回収水槽における排水口の実施形態を示す説明図である。
【考案を実施するための形態】
【００２７】
本考案は、シーバーン防護服Ｓに付着した有害物質を洗い落とす際に使用される折り畳み式の除染水回収水槽１０であって、除染水回収水槽１０内に貯留される除染水の水位Ｌの変動に伴ってフロート体２２の浮力作用により外周壁２１の高さを上下に伸縮可能としたことを最大の特徴とする。
以下、本考案にかかる除染水回収水槽１０の実施形態を、図面に基づいて説明する。
【００２８】
尚、本考案にかかる除染水回収水槽１０は、以下に述べる実施例に限定されるものではなく、本考案の技術的思想の範囲内、すなわち同一の作用効果を発揮できる形状や寸法等の範囲内で適宜変更することができるものである。
【００２９】
図1は、本考案にかかる除染水回収水槽１０の実施形態を示しており、（ａ）は全体斜視図、（ｂ）は断面説明図である。
本考案にかかる除染水回収水槽１０は、底部２０と、外周壁２１とで構成されている。
【００３０】
底部２０は、柔軟性ならびに防水性を有する例えばターポリン生地等から成る合成樹脂製のシート部材で形成された地上に敷設されるシート状物であって、除染水Ｎの飛散をカバーする所用面積を有し、その形状について限定するものではないが、例えば略円形状や多角形状に成形されている。
【００３１】
該底部２０の略センター位置には、図１（ａ）に示す様に、立ち位置マーク２５が付されて成る態様が好ましい。該立ち位置マーク２５は、シーバーン防護服Ｓを着用した作業者の立ち位置を明確にするものであって、除染洗浄の際における除染水回収水槽１０外への汚染水の飛散を最小限に留めるべく、所定形状を為す底部２０の略センター位置に付される。該立ち位置マーク２５の具体的図柄については特に限定するものではないが、立ち位置であることが容易に認識できるよう、例えば足型図柄や二重円形図柄、あるいは図示の様に十字星図柄などが考え得る。
【００３２】
尚、シーバーン防護服Ｓとは、シーバーン災害発生時に災害現場にて作業者が着用するものであって、具体的には、化学物質・災害生物・放射性物質・核・爆発物によって発生した災害を防御するための防護服である。
【００３３】
外周壁２１は、柔軟性ならびに防水性を有する例えばターポリン生地等から成る合成樹脂製のシート部材で形成され、前記底部２０の上方を囲繞するように該底部２０の外周縁から上方に立設されるシート状物であって、除染水回収水槽１０内の除染水Ｎの量によって上方へ延伸する所用高さを有して形成されている。すなわち、外周壁２１は柔軟性を有しているため、除染水回収水槽１０の設置時には底部２０の外周縁上に屈縮された状態であるが、貯留される除染水Ｎの水位Ｌの変動に伴って、最高で所用高さ分だけ底部２０の外周縁から上方に延伸することとなる。
【００３４】
尚、外周壁２１の高さについては、除染洗浄に伴う除染水Ｎの発生量を考慮して適宜決定すればよく、特に限定するものではないが、膝上より高い位置まで延伸すると、シーバーン防護服Ｓを着用した作業者が外周壁２１を跨いで乗り越える際に躓くおそれも考え得るため、例えば略２０ｃｍ程度の高さとすることが好ましい。
【００３５】
外周壁２１の上端縁には、フロート体２２が配設されている。該フロート体２２は、除染水回収水槽１０内に貯留される除染水Ｎの水位Ｌの変動に伴って、自身の浮力作用により外周壁２１の高さを上下に伸縮可能とする目的で配設されるものである。該フロート体２２の具体的態様については、水に対する浮力作用を有するものであれば特に限定はないが、例えば図３（ａ）に示す様にエア充填体２３により形成され、まるいは、図３（ｂ）に示す様に発泡樹脂部材２４により形成される。
【００３６】
図３（ａ）に示すエア充填体２３は、内部にエアを貯留し得るいわゆる浮き袋の構造であって、フロート体２２がエア充填体２３で形成される態様は、外周壁２１の上端縁に一連の若しくは複数分割状のエア充填体２３が配設される態様となる。かかる態様を採用することにより、使用時にエアを充填することで浮力作用を有するフロート体２２として機能すると共に、不使用時はエアを抜くことでフロート体２２の体積を縮小することが可能であって、除染水回収水槽１０を折り畳んでの収納性に資することとなる。
【００３７】
図３（ｂ）に示す発泡樹脂部材２４は、発泡によって部材内部に空気層を有する構造であって、例えば発泡スチロール材などが考え得る。フロート体２２が発泡樹脂部材２４で形成される態様は、外周壁２１の上端縁に折曲可能に複数個に分割されて配設され、必要に応じて各発泡樹脂部材２４が連結ロープ等よって連続的に結ばれて成る態様となる。かかる態様を採用することにより、使用時にエアを充填する手間を省き、除染水回収水槽１０の設置後直ぐに使用可能状態とすることが可能となる。
【００３８】
ところで、除染水回収水槽１０には、図４に示す様に、水槽内に貯留された除染水Ｎを回収するための排水口２６を備える態様が考え得る。すなわち、該排水口２６は、除染水回収水槽１０における底部２０若しくは外周壁２１の所定箇所に備えられ、除染水回収水槽１０に貯留された除染水Ｎを水槽外へ排出するために備えられるものである。
【００３９】
仮に排水口２６がなくても、排水用ポンプＰにおける吸水ホースの吸水口を水槽内に投入することで、該水槽内に貯留された除染水Ｎを吸引排水することは可能である。しかしながら、排水口２６を備える態様を採用することで、該排水口２６に吸水ホースの吸水口を接続して排水用ポンプＰを作動させて、水槽内の除染水Ｎを下方から残らず吸引排水することが可能であり、容易且つ完全に除染水Ｎの排水を行うことができる。尚、吸引排水された除染水Ｎは、図示の様に別に用意された貯留タンクＴに貯留され、その後別途処理が為されることとなる。
【００４０】
以上で構成される本考案にかかる除染水回収水槽１０について、その使用手順を説明する。図２は、本考案にかかる除染水回収水槽１０の使用手順を示す説明図である。
（１）折り畳まれて収納されている除染水回収水槽１０を開梱し、地面や床面等の設置箇所に広げる。
（２）シーバーン防護服Ｓを着用した作業者が、外周壁２１を乗り越えて除染水回収水槽１０内に入り、略センター位置に立つ。
（３）シーバーン防護服Ｓを着用した作業者に対し、放水機Ｗによる洗浄水Ｅの放水を行い、除染洗浄が行われる。このとき、除染水Ｎが除染水回収水槽１０内に徐々に貯留され、水位が上昇するに伴って浮力作用によってフロート体２２が上方に移動することで、外周壁２１の高さが上方に延伸される。
（４）除染洗浄が完了したら、シーバーン防護服Ｓを着用した作業者が外周壁２１を乗り越えて外に出る。
（５）除染水回収水槽１０内に貯留された除染水Ｎを排水する。かかる排水は、排水用ポンプＰで吸引する手法が採用される。排水された除染水Ｎは、貯留タンクＴに移し替えられ、別途処理に回される。尚、排水後、必要に応じて水槽内へ再度放水機Ｗによる洗浄水Ｅの放水を行い、該水槽内の洗浄を行う。
（６）水槽内の除染水Ｎの排水が完了したら、除染水回収水槽１０を折り畳んで格納する。（図示なし）
【００４１】
以上で構成される本考案にかかる除染水回収水槽１０は、フロート体２２を備えることで、除染水Ｎの水位によって外周壁２１が伸縮して高さが上下変動する構造となっていることから、水槽内に乗り込む際は、外周壁２１が底部２０の外周縁上に屈縮された状態であるため、容易に乗り込むことができると共に、水槽外に出る際にも、外周壁２１の高さが必要以上に高く設定されずに低く設定されているため、転倒する危険性がなく、また、単に広げるだけで設営が完了するため、緊急時の早期設営ならびに撤去作業の迅速化が図られると共に、設営箇所の移動も容易で汚染現場での設置作業が素早い対応が可能であり、さらに、大容量の収納スペースを必要とすることなく折り畳んでコンパクトに収納することができると共に、運搬性にも優れているといった、従来にない多くの優れた作用効果を発揮し得る除染水回収水槽１０である。
【産業上の利用可能性】
【００４２】
本考案にかかる除染水回収水槽１０は、底部２０及び外周壁２１が共に柔軟性を有する合成樹脂製のシート部材で形成され、水槽内に貯留される除染水Ｎの水位Ｌの変動に伴ってフロート体２２の浮力作用により外周壁２１の高さが上下に伸縮する構造を採用していることから、利便性向上に資すると共に、使用時における緊急設営ならびに撤去の迅速化が図られ、且つ、不使用時における折り畳んでの収納性ならびに運搬性にも優れた作用効果を発揮し得るものである。したがって、本考案にかかる「除染水回収水槽」の産業上の利用可能性は極めて大であるものと思料する。
【符号の説明】
【００４３】
１０    除染水回収水槽
２０    底部
２１    外周壁
２２    フロート体
２３    エア充填体
２４    発泡樹脂部材
２５    立ち位置マーク
２６    排水口
Ｎ    除染水
Ｌ    水位
Ｅ    洗浄水
Ｓ    シーバーン防護服
Ｗ    放水機
Ｐ    排水用ポンプ
Ｔ    貯留タンク
【図１】
0003215363.tif 000003
【図２】
0003215363.tif 000004
【図３】
0003215363.tif 000005
【図４】
0003215363.tif 000006